(57)【要約】【課題】昼間および夜間において自動車の運転者や自転車の通行者などの注意を引き付ける効果が高く、横断時の事故防止に有効な道路横断旗を提供する。【解決手段】横断幕２と、この横断幕２が取付支持される支持部材３とを有してなる道路横断旗であって、横断幕２の片面又は両面において、中央部に自動車の運転者や自転車の通行者に注意を促す文字や図柄を表示する中央表示域４を設け、その上下に中央表示域４の色と異なる色の異色域５を設け、これら中央表示域４と上下の異色域５との間のそれぞれに光輝帯６を設ける。【選択図】図１
0003110610.tif 000002
【実用新案登録請求の範囲】
【請求項１】
横断幕と、この横断幕が取付支持される支持部材とを有してなる道路横断旗において、横断幕の片面又は両面において、中央部に自動車の運転者や自転車の通行者に注意を促す文字や図柄を表示する中央表示域を設け、その上下に中央表示域の色と異なる色の異色域を設け、これら中央表示域と上下の異色域との間のそれぞれに光輝帯を設けることを特徴とする道路横断旗。
【請求項２】
上下の異色域は、互いに同一色からなることを特徴とする請求項１に記載の道路横断旗。
【請求項３】
中央表示域は黄色地であり、上下の異色域はともに赤色地であることを特徴とする請求項２に記載の道路横断旗。
【請求項４】
支持部材は少なくとも２段階に伸縮可能として、その前段部に横断幕を取付支持し、支持部材の縮小時において、前段部に巻き取った状態の横断幕をその幅方向の少なくとも１／３以上を被覆することのできる筒状の取っ手カバーを、支持部材の後段部に外装したことを特徴とする請求項１ないし請求項３に記載の道路横断旗。
【請求項５】
筒状の取っ手カバーは、前端部が前方に向かうに従って広がりを持つラッパ形状部とされていることを特徴とする請求項４に記載の道路横断旗。
【考案の詳細な説明】
【技術分野】
【０００１】
本考案は、道路横断旗に係り、特に自動車の運転者や自転車の通行者の注意をより喚起できるようにした道路横断旗に関する。また、携帯に便利な道路横断旗に関する。
【背景技術】
【０００２】
道路横断旗は、小学生などが登下校時に道路を横断するとき、あるいはお年寄りが道路を横断するとき等に使用する。しかしながら、登下校時には横断歩道の手前で係員が横断旗をもって小学生らを誘導することができるが、通常それ以外の時間帯には係員が不在となるので、横断旗なしに道路を横断せざるを得ない。また、横断歩道に常時横断旗を備えているのはごく一部である。さらに、お年寄りの場合は、歩くスピードが比較的に遅いので、夜間など横断旗を持たずに道路を横断することは危険性が増す。
【０００３】
この種の横断旗として、テーパーパイプを組合わせて、先端部に先端キャップを設け、把手部に把手キャップを設け、横断幕にバンド穴を設けて、バンドで連結した携帯用道路横断旗が知られている（特許文献１参照）。
【０００４】
【特許文献１】特開平１１−２８８２３５号公報
【考案の開示】
【考案が解決しようとする課題】
【０００５】
しかしながら、特許文献１に開示された携帯用道路横断旗は、横断幕の生地が黄色で、中央に黒色で「横断中」と表裏に印字したにすぎず、第１に、自動車運転手や歩行者の注意を引き付ける効果に乏しい。
【０００６】
第２に、携帯時にはテーパーパイプをコンパクトに折畳むことができるが、収納袋に一緒に収納するには横断幕もテーパーパイプに合わせてコンパクトに折り畳まなければならず、より簡単に収納できるようにはなっていない。
【０００７】
本考案の第1の目的は、昼間および夜間において自動車の運転者や自転車の通行者などの注意を引き付ける効果が高く、横断時の事故防止により有効な道路横断旗を提供することにある。
【０００８】
また、本考案の他の目的は、携帯に便利で、簡単に収容、取出しできる道路横断旗を提供することにある。
【課題を解決するための手段】
【０００９】
上記の課題を解決するために、本考案の請求項１に係る発明は、横断幕と、この横断幕が取付支持される支持部材とを有してなる道路横断旗において、横断幕の片面又は両面において、中央部に自動車の運転者や自転車の通行者に注意を促す文字や図柄を表示する中央表示域を設け、その上下に中央表示域の色と異なる色の異色域を設け、これら中央表示域と上下の異色域との間のそれぞれに光輝帯を設けることを特徴とする。
【００１０】
昼間は、上下の異色域から中央表示域が強調されるから、自動車の運転者や自転車の通行者の注意が中央表示域の文字や図柄に引き付けられる。また、夜間は、２本の光輝帯が乗用車やトラック、オートバイのライト光を反射させたりライト光によって蛍光を発したりするから、遠くからでも自動車の運転者等の注意が中央表示域の文字や図柄に引き付けられる。
【００１１】
ここで、「光輝帯」は、自動車のライト光によって蛍光する蛍光テープや、自動車のライト光によって反射光輝する反射テープであってよい。これらの蛍光テープや反射テープは横断膜に熱接着してもよいし、糸で縫いつけてもよい。
【００１２】
請求項２に係る発明は、横断幕の上下の異色域が、互いに同一色からなることを特徴とする。
【００１３】
横断幕の上下の異色域が互いに同一色からなることにより、中央表示域をより強調して、視認性が高まる。
【００１４】
請求項３に係る発明は、横断幕の中央表示域が黄色地であり、上下の異色域がともに赤色地であることを特徴とする。
【００１５】
横断幕の中央表示域が黄色地であり、上下の異色域が互いに同一の赤色地であることにより、「注意」を促す黄色と、「停止・安全・危険」を促す赤色とを効果的に組み合わせ、自動車運転手の注意をより喚起することができる。ここで、黄色地は、黄色系統の色であればよく、赤色地は、赤色系統の色であればよい。
【００１６】
請求項４に係る発明は、支持部材を少なくとも２段階に伸縮可能として、その前段部に横断幕を取付支持し、支持部材の縮小時において、前段部に巻き取った状態の横断幕をその幅方向の少なくとも１／３以上を被覆することのできる筒状の取っ手カバーを、支持部材の後段部に外装したことを特徴とする。
【００１７】
支持部材の前段部に横断幕を巻き取るとともに、支持部材を縮小して、道路横断旗をコンパクトに折り畳むと同時に、巻き取った横断幕をその幅の少なくとも１／３以上を取っ手カバーが被覆するので、横断幕がばらつくこともない。携帯に便利で、簡単に収容、取出しすることができる。しかも、収納袋を必要としない。
【００１８】
請求項５に係る発明は、筒状の取っ手カバーの前端部が前方に向かうに従って広がりを持つラッパ形状部とされていることを特徴とする。
【００１９】
取っ手カバーの前端部が前方に向かうに従って広がりを持つから、巻き取った状態の横断幕を筒状の取っ手カバーの内側へスムーズに挿入することができる。
【考案の効果】
【００２０】
本考案によると、昼間および夜間において、自動車の運転者や自転車の通行者の注意を引き付ける効果が高く、横断時の事故防止に有効な道路横断旗を得ることができる。
【００２１】
また、本考案によると、携帯に便利で、簡単に収容、取出しできる道路横断旗を得ることができる。
【考案を実施するための最良の形態】
【００２２】
以下、本考案に係る道路横断旗について、第1の実施の形態を図１ないし図５を参照して説明する。図１において、本考案に係る道路横断旗１は、横断幕２と、横断幕２の上端が取付支持される支持部材３とを有している。
【００２３】
横断幕２は、その両面において、中央部に自動車の運転者や自転車の通行者に注意を促す文字や図柄として黒色の「横断中」の文字を表示する中央表示域４が設けられている。この中央表示域４の色は黄色地とされている。中央表示域４の上下には中央表示域４の色と異なる異色域５，５が設けられている。これら上下の異色域５，５は、いずれも同色の赤色地とされている。赤色系統であれば、同色の赤色地とされる。
【００２４】
中央表示域４と上下の異色域５，５との間には、それぞれに光輝帯である白色蛍光帯６，６が設けられている。これらの白色蛍光帯６，６には、自動車（オートバイを含む）のライト光によって白色蛍光を発する蛍光物質が設けられている。
【００２５】
支持部材３は、２段階に伸縮可能とされており、筒状前段部７に筒状後段部８が挿入されている。支持部材３の最大伸長時（筒状前段部７の最大前進時）に、筒状前段部７の内周面後端が筒状後段部８の前端部の外周面に周設された係止用突条８ａに係合して、抜けない構造になっている。横断幕２の上端には幅方向一端から他端へ開口する筒状部２ａが設けられ、この筒状部２ａに支持部材３の筒状前段部７が挿入されて、横断幕２の上端が筒状前段部７に取付支持されるようになっている。
【００２６】
筒状後段部８の後端部８ｂには、装着部材９を介して、筒状前段部７の外径Ｄ１より大きい内径Ｄ２を有する筒状の取っ手カバー１０が取付けられている。すなわち、装着部材９の一端が筒状後段部８の後端部８ｂの開口部に装着固定されるとともに、装着部材９の他端が筒状の取っ手カバー１０の後端内面から突出する筒状取付部１０ａに螺合されている。
【００２７】
筒状の取っ手カバー１０は、図２に示すように、支持部材３の筒状後段部８とほぼ等しい長さを有し、自身の周壁部１０ｂとその内側に配置される筒状前段部７との間に、巻取り状態の横断幕２をその幅方向に１／３以上、本実施形態ではおおよそ１／２程度収容する収容空間１１を形成している。収容空間１１の高さ（半径方向長さ）Ｈは、横断幕２の巻取り厚さよりも十分余裕をもって設定されている。
【００２８】
取っ手カバー１０の周壁部１０ｂは、前端部が、前端に向かうに従って広がりを持つラッパ形状部１２とされている。ラッパ形状部１２の前端開口部の口径Ｄ３の寸法は、周壁部１０ｂの内径Ｄ２の寸法よりも大きく設定されている。そして、筒状前段部７の後端外周面には、支持部材３の最大伸長時に筒状前段部７を安定支持させる鍔部７ａが突設されている。この鍔部７ａは、取っ手カバー１０の内周面に常時当接している。
【００２９】
以上のように構成された道路横断旗１をコンパクトに折り畳むには、まず、図１に示す使用状態から、図３に示すように、支持部材３の筒状前段部７に横断幕２を巻き取る。その状態で、筒状前段部７を一方の手で持って、図４に示すように、取っ手カバー１０を他方の手で後端から押して前進させると、支持部材３が縮小すると同時に、図５に示すように、巻取り状態の横断幕２が幅方向におおよそ１／２程度収容空間１１に収容されることになる。
【００３０】
巻取り状態の横断幕２の幅方向約半分程度が取っ手カバー１０内に収容されるので、横断幕２がばらつくことがない。通学用のランドセルやかばん、バッグなどに収容して携帯することができる。使用時には、かばん等から取り出して、取っ手カバー１０を手前に引けば、簡単に図１の使用状態になる。
【００３１】
本実施形態では、支持部材３を２段階に伸縮可能としたが、２段以上、例えば３段階としてもよい。また、本実施形態では、筒状前段部７に筒状後段部８を挿入するようにしたが、筒状前段部７に筒状後段部８を外装するようにしてもよい。また、横断幕２の両面に中央表示域４、異色域５、白色蛍光帯６を設けるようにしたが、片面であってもよい。
【００３２】
図６および図７は、本考案に係る道路横断旗の第２の実施形態を示している。第１の実施形態で説明した道路横断旗１と同一部材には同一符号を付してその説明を省略する。
【００３３】
図６において、道路横断旗１３の支持部材３の図示されない後段部には布製の取っ手カバー１４が装着されている。この場合、支持部材３の筒状後段部は取っ手部となる。この布製の取っ手カバー１４は、図７に示すように、筒状をしており、前端の開口部１４ａに切り込み１５が設けられて大きく開くことができ、閉じ部材１６によって開口部１４ａを閉じることができるようになっている。
【００３４】
図６の道路横断旗１３をコンパクトに折り畳むには、取っ手カバー１４の閉じ部材１６を外して開口部１４ａを大きく開くとともに、横断幕２を巻き取って支持部材３を縮小し、横断幕２の一部を取っ手カバー１４内に収容し、閉じ部材１５で前端の開口部１４ａを閉じる。
【００３５】
布製の取っ手カバー１４とすることにより、軽量化、小型化が図られる。この取っ手カバー１４は、ナイロン製などであってもよい。
【産業上の利用可能性】
【００３６】
本考案の道路横断旗は、小学生などの登下校時に限らず、携帯して、子供の塾の行き帰りやお年寄りなどの道路横断時に使用することができる。
【図面の簡単な説明】
【００３７】
【図１】本考案に係る道路横断旗の正面図、
【図２】道路横断旗の一部断面図、
【図３】横断幕を巻取った状態の道路横断旗の正面図、
【図４】道路横断旗を折り畳んだ状態を示す正面図、
【図５】巻取り後の横断幕を取っ手カバー内に収容した状態を示す一部断面正面図、
【図６】本考案の他の実施形態を示す道路横断旗の正面図、
【図７】布製取っ手カバーを示す斜視図である。
【符号の説明】
【００３８】
１，１３  道路横断旗
２  横断幕
２ａ  筒状部
３  支持部材
４  中央表示域
５  異色域
６  白色蛍光帯
７  筒状前段部
７ａ  鍔部
８  筒状後段部
８ａ  係止用突条
８ｂ  端部
９  装着部材
１０，１４  取っ手カバー
１０ａ  筒状取付部
１０ｂ  周壁部
１１  収容空間
１２  ラッパ形状部
１５  切り込み
１６  閉じ部材
【図１】
0003110610.tif 000003
【図２】
0003110610.tif 000004
【図３】
0003110610.tif 000005
【図４】
0003110610.tif 000006
【図５】
0003110610.tif 000007
【図６】
0003110610.tif 000008
【図７】
0003110610.tif 000009